(57)【要約】【課題】ユーザーがインターネット端末からＵＲＬを入力することなしに、Ｗｅｂサイトにアクセスするシステムを提供する。【解決手段】インターネット上のポータルサイトにおけるＵＲＬの簡易化システムであって、特定のＷｅｂサイトにアクセスしたいユーザーが言語文字列から始まる後に数字列をもったアドレスをポータルサイトに入力することで、ポータルサイトのサーバーが言語文字列をカテゴリと認識し、数字列でこのカテゴリに属する、Ｗｅｂサイトのあらかじめ登録されているＵＲＬを引き出しアクセスするため、ユーザーは覚えやすい言語文字列とそれに続く短い数字列を記憶するだけで、ＵＲＬを覚えなくても希望したＷｅｂサイトにアクセスできる。【選択図】図１
2004362517.tif 000002
【特許請求の範囲】
【請求項１】
インターネット上のポータルサイトにおけるインターネット端末装置から入力するＵＲＬの簡易化システムであって、インターネット利用者が入力するＵＲＬを簡易化した簡易化アドレスが、ポータルサイトを運用する国の言語を理解する個人が一般的な生活で、少なくとも抽象的に理解できる言語文字列を先頭にもつことと、言語文字列の後に数字列をもつことと、簡易化アドレスの言語文字列をポータルサイト内のサーバーがカテゴリとして扱うことと、ポータルサイト内のサーバーが簡易化アドレスの数字列でカテゴリ中の一つのあらかじめ関連づけてあるＷｅｂサイトのＵＲＬでユーザーが希望するＷｅｂサイトへのアクセスを可能にすることを特徴とするシステム。
【請求項２】
請求項１に記載の言語文字列の入力を、少なくとも清音が１英字１キーで入力できるテンキーを使用した文字入力方式で行なう方法。
【請求項３】
請求項１の簡易化アドレスを完成する方法に関して、インターネット端末での言語文字列の入力にインターフェースとしてテンキーを使用しているユーザーであって、入力の際に一部の文字入力でポータルサイトにカテゴリとしてあらかじめ登録してある言語文字列をポータルサイトのサーバーから入力候補としてポータルサイトがインターネット端末に表示することと、その候補をユーザーが選択することで言語文字列部の入力を完成する方法。
【請求項４】
インターネットブラウザーのアドレスフィールドに書かれたアドレスをインターセプトするプラグインとして機能するアプリケーションをユーザーに対し供給しユーザーがインストールしておくことと、インターネットブラウザーのアドレスフィールドに入力した文字列を前記アプリケーションがインターセプトして、ユーザーが入力した文字列を言語文字列と数字列に分解して言語文字列の後ろに数字列があることを条件に簡易化アドレスと認識することと、これを引数として請求項１のポータルサイトにアクセスする方法。
【請求項５】
ユーザーにより簡易化アドレスの後ろに国情報の文字列を付加した請求項１に記載のポータルサイトへの入力で、ポータルサイトが簡易化アドレスをインターネットに接続してあるカテゴリ翻訳サーバーに渡すことと、カテゴリ翻訳サーバーは簡易化アドレスの国情報をもとに自動的にその国に登録されているアドレスに変換することと、変換したアドレスをもとにその国のポータルサイトにアクセスする方法
【発明の詳細な説明】
【０００１】
【発明の属する技術分野】
本発明は、インターネット上のＷｅｂサイトへのアクセスを容易にするシステム及び方法に関する。
【０００２】
【従来の技術】
インターネット上のＷｅｂサイトへアクセスするには、通常“ｈｔｔｐ：／／”からはじまる、言葉では伝えづらく長いアルファベット文字と記号をインターネット端末に入力する必要があった。
【０００３】また数字列に簡易化したアドレスを特定のポータルサイトに入力することでアクセスする方法もあったが、ＵＲＬよりは短いものの、ほとんどの数字列は８桁を越え、数字は単語のように一塊では覚えられないので、ひとつひとつの数字の列として覚えるため記憶しずらかった。
【０００４】前記数字列に簡易化したアドレスでは短い数字列に限りがあるので、ビジネス的に“１２３”など短い数字列の権利を高額にして販売せざるを得なくなる欠点があった。
【０００５】前記数字列に簡易化したアドレスでは短いナンバーの数は限られるので、例えばホテル業界で、資金力のあるホテルは短いナンバーを取得し、資金力のないホテルは１０桁程度の長いナンバーを取得する。ビジネス上そういったナンバーの取得が業種と関係なくバラバラに行なわれ、結果的に何のカテゴリ化もされないまま登録を進めざるをえなくなっていた。つまり実際のサービスの運用においてカテゴリ化できない問題があり、それを活用する一般個人または団体の利便性を損ねていた。
【０００６】また前記数字列での単なる数字化では、例えばユーザーには覚えやす３桁で全ての業種、団体、個人で１０００サイトしか登録できないし、またこの１０００サイト中多くのサイトは、ユーザーが情報を求めるサイトではないのが現状であった。
例えばある繊維メーカーがこの番号をとっているものの、多くのユーザーはアクセスすることが極めて少ないなど、短い数字列によるアクセスでユーザーの利便性を上げると謳いながら、ユーザー側のニーズと離れた番号の運営をビジネス上強いられることになっていた。
【０００７】
【発明が解決しようとする課題】
覚えにくいＵＲＬを記憶しなくても、覚えやすいアドレスで任意のＷｅｂサイトにアクセスできるシステムを提供する。特にモバイルインターネット端末でのＷｅｂサイトへの容易なアクセスを提供する。
【０００８】
【課題を解決するための手段】
本明細書で定義される“ユーザー”とは、インターネット端末としての機能をもったパソコン、携帯電話、携帯情報端末などの機器を使用してインターネットから本発明のシステムに接続し得る利用者を示す。
本明細書で定義される“クライアント”とは、インターネットに接続してあるＷｅｂサイトが構築されているサーバーを所有または賃借している情報発信者であって、本システムの簡易化アドレスに登録している個人または団体を示す。本明細書で定義される“プラットフォーム”とは、ＯＳ、アプリケーションを持ちインターネット端末としての機能をもったパソコン、携帯電話、携帯情報端末などの機器を示す。
本明細書で定義される“言語文字列”とはポータルサイトを運用する国の言語を理解す個人が一般的な生活で、少なくとも抽象的に理解できる文字列であり、事物、形容詞を持つ事物、“楽しい”や“とくとく”など特定の事物を表さない事象も含む。
本明細書で定義される“アクセス”とはホームページの表示、コンテンツのダウンロードなどの、Ｗｅｂサイト内の情報サービスを受けることを示す。
【０００９】図１は本発明のシステムを示したものである。
本発明は言語文字列とこれに続く短い数字列からなる、覚えやすいアドレスで、あらかじめこのアドレスに割り当てたＵＲＬをアクセスして表示するシステムを提供する。
本発明では言語文字列をカテゴリとして使用することで、そのカテゴリの意味が、何ら辞書や索引などがなくても大意を把握でき、また簡単に覚えることができる。
また言語文字列だけで大量のＷｅｂサイトの一つ一つを示しづらい点は、言語文字列の後ろの数字列で、カテゴリ中の一つのサイトを示すようにすることで解決している。
【００１０】更に無数にある言語文字列でカテゴリ化しているからその後の数字列は３桁程度の短いものでも十分実用になる。
例えば数字のみで簡易化したアドレスをポータルサイトに入力する場合、高い登録料を払わないのであれば、覚えやすい電話番号を使用したりするので、「０３０５３４０５６８」と覚えずらいが、本発明では  「ホテル５４６」とホテル関連のサイトであることがわかるし、数字列部は５４６と短く覚えやすい。
しかも、もともとあるサイト、例えば特定のホテルを記憶してインターネット端末からＵＲＬ入力し、Ｗｅｂサイトへアクセスしようとする場合、アクセスしようとする個人はＵＲＬ以外にホテルというカテゴリがすでに頭にあるのであって、ホテル＋ＵＲＬを記憶しているのであから、「ホテル５４６」を記憶する場合は、実際にはほとんど５４６を記憶するだけの作業になる本発明の利点がある。
【００１１】また単なる数字化では３桁で、全ての業種、団体、個人で１０００サイトしか登録できないのでビジネス上登録料を高価にせざるをえないが、本発明では言語文字列がほぼ無数にあるので、３桁の数字列を大幅に安価に設定してもビジネス上の支障になることは少なく、クライアントの数を大きく上げ、一般個人あるいは団体の利便性を大きく向上できため、本発明によるサービスは一般に広く普及させることができる。
【００１２】また前記の数字のみで簡易化したアドレスでは、ユーザーに対しナビゲーションサイトも長い数字列で提供するため、活用しずらい欠点があるが、本発明ではカテゴリを抽象コードとして使用しナビゲーションサイトへのアクセスを“０”などの覚えやすい数字列でカテゴリ共通のナビゲーションサイトへのアクセスと取り決めることでユーザーがアクセスし易いナビゲーションサイトを構築できる。
例えばユーザーが特定のホテルの情報だけでなく、更なる情報を得たいと希望すれば“ホテル０”とアドレスに入力することで、キャンペーン中の他のホテルや特別なイベントの行なっている他のホテル、地図情報、交通アクセス情報、レストラン情報など関連した情報が得られるし、このサイトに広告をのせ、広告収入も得られる。
【００１３】更に本発明によれば、インターネットの検索エンジンの効率的な活用が可能になる。
インターネットの検索エンジンはＷｅｂサイトの文字列をユーザーの入力した単語で検索をかけるので、本発明の簡易化アドレスをクライアントのＷｅｂサイトに記述しておくことで、検索エンジンが、ユーザーが入力した本発明の簡易化アドレスで、検索結果の上位にクライアントのＷｅｂサイトを示し、ポータルサイトを用いない場合でもユーザーは容易にクライアントのＷｅｂサイトにたどりつくことができる。
例えばクライアントのスモールネットワーク社のＷｅｂサイトに“ネットワーク１４３４”とあらかじめ記述しておき、Ｙａｈｏｏ株式会社の検索エンジンに“ネッワーク”を検索単語にすると４０９１件のヒットがあり、“１４３４”を検索単語にすると図６のように５７６００件のヒットがあってクライアントのＷｅｂサイトはその中に埋もれているが、“ネッワーク１４３４”とすると図７のようにクライアントのＷｅｂサイトがトップに表示される。ユーザーはこれを選択すればクライアントのＷｅｂサイトに容易にアクセスすることができる。
【００１４】請求項２の方法によれば、ユーザーが携帯電話などのユーザーインターフェースがテンキーで言語文字列入力がしにくい場合でも、特許願２００２−３２０５４３記載の方式で日本語の基本的な清音の入力においてパソコンの１０６キーボードと同様な１英字１キーの入力ができるので、携帯電話のようなに何度もキーを押して文字を選択する面倒な操作に不慣れな高齢者や障害者においては、容易に言語文字列部の入力が可能になりインターネットに簡単にアクセスできるようになるため情報のバリアフリー化に貢献する。
図４に本発明におけるパソコンからアクセスした場合の、ポータルサイトのユーザーインターフェース例を示す。
請求項２によりユーザーはテンキーであっても日本語の基本的な清音を図５に示すパソコンの１０６キーボードと同じように１英字１キーで入力できるため容易な言語文字列入力ができる。尚「い」と「う」２文字に関しては「ＹＩ」「ＷＵ」と慣例とは異なる入力になるがローマ字読みできる。
【００１５】更に音声認識を備えた携帯電話でＷｅｂサイトにアクセスする場合は、ユーザーは言語文字列を最初に話すので、数字列からなる電話番号と干渉しない。
【００１６】更に言語文字列を記号あるいは任意の文字列で区切り“サークル＊釣り１２３”と階層化した場合でも可視化している言語文字列であるからその内容の概要を掴むことも容易になる。
【００１７】請求項３の方法によれば、ユーザーが携帯電話などのユーザーインターフェースがテンキーであって文字入力がしにくい場合でも、一部の文字を入力するだけでもポータルサイトはポータルサイトのサーバー内の情報でカテゴリ候補を表示するので、ユーザーは言語文字列の全てを入力することなしに、このカテゴリ候補から矢印キーなどで選択することで簡便に言語文字列を入力できる。またポータルサイト内のサーバーが、ユーザーが利用した簡易化アドレスの言語文字列部の統計をとり、その統計によりポータルサイトの入力候補の順番をポータルサイトで決めることで、より簡便な言語文字列の入力ができる。
【００１８】請求項４の方法によれば、アプリケーションが、ユーザーがインターネットブラウザーのアドレスフィールドに入力した言語文字列の後ろに数字列があることを条件に簡易化アドレスと認識することで、これを引数として請求項１のポータルサイトにアクセスするので、ユーザーはポータルサイトを開くことなしに希望するＷｅｂサイトに直接アクセスできる。
【００１９】請求項５の方法によれば、各国にあるその国のポータルサイトに別な国のポータルサイトからアクセスできる。
ある国のポータルサイトが、ユーザーが入力した簡易化アドレスの後ろに記述した“＊米国”、“＊ＵＳＡ”などの国情報の言語文字列を分離し、どの国のポータルサイトにアクセスしたいかを識別する。
ポータルサイトはこの情報を認識し、インターネット上の翻訳サーバーに処理を渡し、翻訳サーバーはカテゴリ翻訳データベースを使って簡易化アドレスを対象国のアドレスに変換する。
例えば日本から米国の場合、“ホテル１５３＊米国”としたとき、カテゴリ翻訳サーバーは  “ｈｏｔｅｌ１５３”を引数として米国のポータルサイトにアクセスする。米国から日本国の場合は、“ｈｏｔｅｌ２４６＊ｊａｐａｎ”  あるいは“ｈｏｔｅｒｕ２４６＊ｊａｐａｎ”としたとき、カテゴリ翻訳サーバーは  “ホテル２４６”を引数として日本国のポータルサイトにアクセスすることでユーザーは全世界のポータルサイトを活用できる。
【００２０】
【発明の実施の形態】
インターネット１にユーザー２が接続して、クライアント３もまたインターネット１に接続している。
本システムはインターネット１に接続したシステムサーバー４が、本ポータルサイト５の入り口になっており、一般ユーザーはまず本ポータルサイト５に接続して、一般ユーザーはサイト内のアドレスフィールドに簡易化アドレスを入力し変換キーを押す。このときユーザーが操作するインターネット端末はポータルサイト内のＪａｖａアプリケーションにより、ひらがな、あるいはカタカナを引数としてシステムサーバー４に登録の有無と登録漢字あるいはカタカナを検索にいく、システムサーバー４はＪａｖａアプリケーションサーバー６の実行でカテゴリデータベース７をもとに検索した結果をユーザーのプラットフォーム８に返す。
【００２１】請求項２によれば、前記検索のアシストをする。
ユーザーが言語文字列の一部を入力して変換キーを押しポータルサイトに送信する。
ポータルサイト５のシステムサーバー４はＪａｖａアプリケーションサーバー６に接続し受信した内容とカテゴリデータベース７をもとに変換候補をプラットフォーム８に候補を表示し一般ユーザーをアシストする。
ユーザーはこの候補をマウス、あるいは矢印キーにより希望の変換を選択する。このときカテゴリデータベース７の情報をユーザーのパソコンなどのプラットフォーム８に保存することで、ポータルサイト５のカテゴリデータベース７の変換テーブルが更新がされていないことを確かめてプラットフォーム８に保存したカテゴリデー情報でアシストしてもよい。
【００２２】次にシステムサーバー４がユーザーの入力した数字列とカテゴリ情報をデータベースサーバ９に渡し、データベースサーバ９はあらかじめ登録してあるＵＲＬデータベース１０からユーザーの希望するクライアントのＷＥｂサイトのＵＲＬを引き出し、ポータルサイトはこのＵＲＬでクライアントのＷＥｂサイトにアクセスし表示する。図２に前記動作をフロー図を示す。
【００２３】ひらがな、あるいはカタカナの言語文字列の変換にカテゴリデータベース７を使用しない場合、図３のフローに示すようにプラットフォームの漢字変換機能を使用して言語文字列と数字列の入力をおこないポータルサイト５に渡す。次にポータルサイト５のシステムサーバー４が言語文字列部を分離し、カテゴリデータベース７を検索して該当がない場合、エラーをポータルサイトに表示する。
【００２４】但し、システムサーバー４が国識別子を検出した場合、処理はインターネット上の翻訳サーバー１１に渡されて、言語文字列はカテゴリ翻訳データベース１２をもとに翻訳サーバー１１で対象国の簡易化アドレスへの変換をして、これを引数として対象国のポータルサイトにアクセスする。
【００２５】
【発明の効果】
ポータルサイトを運用する国においてインターネット利用者に覚えやすくアドレスが入力し易い簡便なＷｅｂサイトへのアクセス方法を提供することで、アドレスの販売、キャンペーン企画の収入、広告収入などが得られる。
【図面の簡単な説明】
【図１】本案のシステム構成とインターネットとの関係
【図２】カテゴリ入力をアシストする場合のフロー図
【図３】カテゴリ入力をアシストしない場合のフロー図
【図４】パソコンでのポータルサイト画面
【図５】テンキーでのローマ字入力表
【図６】数字列でのＹａｈｏｏの検索結果
【図７】本簡易化アドレスでのＹａｈｏｏの検索結果
【符号の説明】
１はインターネット、２はユーザー、３はＷｅｂサーバー、４はシステムサーバー、５はポータルサイト、６はＪａｖａアプリケーションサーバー、７はカテゴリデータベース、８はプラットフォーム、９はデーターベースサーバー、１０はＵＲＬデータベース、１１は翻訳サーバー、１２はカテゴリ翻訳データベース、１３はＷｅｂサーバー、１４は本システム、１５はポータルサイト
【図１】
2004362517.tif 000003
【図２】
2004362517.tif 000004
【図３】
2004362517.tif 000005
【図４】
2004362517.tif 000006
【図５】
2004362517.tif 000007
【図６】
2004362517.tif 000008
【図７】
2004362517.tif 000009